(57)【要約】【課題】所望のジャンルに属するデータをユーザに容易に選択させることができる、表示装置、表示方法、及び表示プログラムを提供すること。【解決手段】表示装置１は、複数の階層で構成された属性を有するデータを記憶する地図情報ＤＢ４１と、地図情報ＤＢ４１に記憶されたデータを、当該データに対応するアイコンでディスプレイ２０に表示する表示制御部３１と、ディスプレイ２０に表示されているアイコンを選択するための操作入力を受け付けるタッチパネル１０と、タッチパネル１０にて受け付けられた操作入力に基づきアイコンが選択された状態における経過時間に応じて、異なる階層を選択し、当該選択した階層において選択されたアイコンに対応するデータと同じ属性を有するデータを処理対象のデータとして選択する選択部３２とを備える。【選択図】図１
2012079017.tif 000002
【特許請求の範囲】
【請求項１】
複数の階層で構成された属性を有するデータを記憶する記憶手段と、
前記記憶手段に記憶されたデータを、当該データに対応するアイコンで表示手段に表示する表示制御手段と、
前記表示手段に表示されている前記アイコンを選択するための操作入力を受け付ける入力受付手段と、
前記入力受付手段にて受け付けられた操作入力に基づき前記アイコンが選択された状態における経過時間に応じて、異なる前記階層を選択し、当該選択した階層において前記選択されたアイコンに対応するデータと同じ属性を有するデータを処理対象のデータとして選択する選択手段と、
を備える表示装置。
【請求項２】
前記選択手段は、前記入力受付手段にて受け付けられた操作入力に基づき前記アイコンが選択された状態における時間の経過に従って、前記選択されたアイコンに対応する属性の階層から順次上位の前記階層を選択し、当該選択した階層において前記選択されたアイコンに対応するデータと同じ属性を有するデータを処理対象のデータとして選択する、
請求項１に記載の表示装置。
【請求項３】
前記入力受付手段は、当該入力受付手段にて受け付けられた操作入力に基づき選択されたアイコンの表示位置を指示するための操作入力を受け付け、
前記表示制御手段は、前記入力受付手段により、前記表示手段における特定領域を前記選択されたアイコンの移動先とするための操作入力が受け付けられた場合、前記選択手段により選択されたデータに対応するアイコンを前記表示手段に表示させない設定とする、
請求項１又は２に記載の表示装置。
【請求項４】
前記表示制御手段は、前記表示手段に表示させているアイコンのうち、前記選択手段により選択されたデータに対応するアイコンを、前記入力受付手段にて受け付けられた操作入力に基づき最初に選択されたアイコンの表示位置まで移動させ、
前記選択手段は、当該選択手段により選択されたデータに対応する全てのアイコンが前記選択されたアイコンの表示位置まで移動した場合、当該選択手段による前記データの選択を確定する、
請求項１から３のいずれか一項に記載の表示装置。
【請求項５】
複数の階層で構成されたジャンルに属する施設データを記憶する記憶手段と、
前記記憶手段に記憶された施設データを、当該施設データに対応するアイコンで表示手段に表示する表示制御手段と、
前記表示手段に表示されている前記アイコンを選択するための操作入力、及び当該選択されたアイコンの表示位置を指示するための操作入力を受け付ける入力受付手段と、
前記入力受付手段にて受け付けられた操作入力に基づき前記アイコンが選択された状態における時間の経過に従って、前記選択されたアイコンに対応するジャンルの階層から順次上位の前記階層を選択し、当該選択した階層において前記選択されたアイコンに対応する施設データと同じジャンルに属する施設データを処理対象の施設データとして選択する選択手段と、を備え、
前記表示制御手段は、前記入力受付手段により、前記表示手段における特定領域を前記選択されたアイコンの移動先とするための操作入力が受け付けられた場合、前記選択手段により選択された施設データに対応するアイコンを前記表示手段に表示させない設定とする、
表示装置。
【請求項６】
複数の階層で構成された属性を有するデータを記憶手段に記憶する記憶ステップと、
前記記憶手段に記憶されたデータを、当該データに対応するアイコンで表示手段に表示する表示制御ステップと、
前記表示制御ステップで前記表示手段に表示されている前記アイコンを選択するための操作入力を受け付ける入力受付ステップと、
前記入力受付ステップで受け付けられた操作入力に基づき前記アイコンが選択された状態における経過時間に応じて、異なる前記階層を選択し、当該選択した階層において前記選択されたアイコンに対応するデータと同じ属性を有するデータを処理対象のデータとして選択する選択ステップと、
を含む表示方法。
【請求項７】
請求項６に記載の方法をコンピュータに実行させる表示プログラム。
【発明の詳細な説明】
【技術分野】
【０００１】
本発明は、表示装置、表示方法、及び表示プログラムに関する。
【背景技術】
【０００２】
従来、駐車場、コンビニエンスストア、ファミリーレストラン、金融機関等の各種施設を施設分類毎に表した施設アイコンを、地図画面上に表示するナビゲーション装置が知られている。このナビゲーション装置では、地図画面とともに表示されているアイコン切替ボタンがユーザに選択される度に、表示する施設アイコンの種類を切り替える（例えば、特許文献１参照）。
【先行技術文献】
【特許文献】
【０００３】
【特許文献１】特開２００７−１７２６９号公報
【発明の概要】
【発明が解決しようとする課題】
【０００４】
しかしながら、上述の如き従来の装置では、アイコン切替ボタンがユーザに操作される度に、予め表示設定されたアイコンを一種類ずつ順に表示するものに過ぎないため、例えばアイコンが複数の階層にわたって多くの種類に分類されている場合、所望の種類のアイコンを表示させるためにはアイコン切替ボタンの操作回数が増大する可能性があった。また、アイコン切替ボタンを用いず、設定画面において所望の種類のアイコンを選択するためには、操作ボタンを押下する等により階層を辿ることで所望の種類を選択しなければならず、やはり操作の手間がかかっていた。
【０００５】
本発明は、上記に鑑みてなされたものであって、所望のジャンルに属するデータをユーザに容易に選択させることができる、表示装置、表示方法、及び表示プログラムを提供することを目的とする。
【課題を解決するための手段】
【０００６】
上述した課題を解決し、目的を達成するために、請求項１に記載の表示装置は、複数の階層で構成された属性を有するデータを記憶する記憶手段と、前記記憶手段に記憶されたデータを、当該データに対応するアイコンで表示手段に表示する表示制御手段と、前記表示手段に表示されている前記アイコンを選択するための操作入力を受け付ける入力受付手段と、前記入力受付手段にて受け付けられた操作入力に基づき前記アイコンが選択された状態における経過時間に応じて、異なる前記階層を選択し、当該選択した階層において前記選択されたアイコンに対応するデータと同じ属性を有するデータを処理対象のデータとして選択する選択手段と、を備える。
【０００７】
また、請求項２に記載の表示装置は、請求項１に記載の表示装置において、前記選択手段は、前記入力受付手段にて受け付けられた操作入力に基づき前記アイコンが選択された状態における時間の経過に従って、前記選択されたアイコンに対応する属性の階層から順次上位の前記階層を選択し、当該選択した階層において前記選択されたアイコンに対応するデータと同じ属性を有するデータを処理対象のデータとして選択する。
【０００８】
また、請求項３に記載の表示装置は、請求項１又は２に記載の表示装置において、前記入力受付手段は、当該入力受付手段にて受け付けられた操作入力に基づき選択されたアイコンの表示位置を指示するための操作入力を受け付け、前記表示制御手段は、前記入力受付手段により、前記表示手段における特定領域を前記選択されたアイコンの移動先とするための操作入力が受け付けられた場合、前記選択手段により選択されたデータに対応するアイコンを前記表示手段に表示させない設定とする。
【０００９】
また、請求項４に記載の表示装置は、請求項１から３のいずれか一項に記載の表示装置において、前記表示制御手段は、前記表示手段に表示させているアイコンのうち、前記選択手段により選択されたデータに対応するアイコンを、前記入力受付手段にて受け付けられた操作入力に基づき最初に選択されたアイコンの表示位置まで移動させ、前記選択手段は、当該選択手段により選択されたデータに対応する全てのアイコンが前記選択されたアイコンの表示位置まで移動した場合、当該選択手段による前記データの選択を確定する。
【００１０】
また、請求項５に記載の表示装置は、複数の階層で構成されたジャンルに属する施設データを記憶する記憶手段と、前記記憶手段に記憶された施設データを、当該施設データに対応するアイコンで表示手段に表示する表示制御手段と、前記表示手段に表示されている前記アイコンを選択するための操作入力、及び当該選択されたアイコンの表示位置を指示するための操作入力を受け付ける入力受付手段と、前記入力受付手段にて受け付けられた操作入力に基づき前記アイコンが選択された状態における時間の経過に従って、前記選択されたアイコンに対応するジャンルの階層から順次上位の前記階層を選択し、当該選択した階層において前記選択されたアイコンに対応する施設データと同じジャンルに属する施設データを処理対象の施設データとして選択する選択手段と、を備え、前記表示制御手段は、前記入力受付手段により、前記表示手段における特定領域を前記選択されたアイコンの移動先とするための操作入力が受け付けられた場合、前記選択手段により選択された施設データに対応するアイコンを前記表示手段に表示させない設定とする。
【００１１】
また、請求項６に記載の表示方法は、複数の階層で構成された属性を有するデータを記憶手段に記憶する記憶ステップと、前記記憶手段に記憶されたデータを、当該データに対応するアイコンで表示手段に表示する表示制御ステップと、前記表示制御ステップで前記表示手段に表示されている前記アイコンを選択するための操作入力を受け付ける入力受付ステップと、前記入力受付ステップで受け付けられた操作入力に基づき前記アイコンが選択された状態における経過時間に応じて、異なる前記階層を選択し、当該選択した階層において前記選択されたアイコンに対応するデータと同じ属性を有するデータを処理対象のデータとして選択する選択ステップと、を含む。
【００１２】
また、請求項７に記載の表示プログラムは、請求項６に記載の方法をコンピュータに実行させる。
【発明の効果】
【００１３】
請求項１に記載の表示装置、請求項６に記載の表示方法、及び請求項７に記載の表示プログラムによれば、入力受付手段にて受け付けられた操作入力に基づきアイコンが選択された状態における経過時間に応じて、異なる階層を選択し、当該選択した階層において、選択されたアイコンに対応するデータと同じ属性を有するデータを処理対象のデータとして選択するので、ユーザにとって直感的且つ容易な操作入力に基づいて、ユーザ所望の階層において最初に選択されたアイコンに対応するデータと同じ属性を有するデータを選択することができる。
【００１４】
また、請求項２に記載の表示装置によれば、選択手段は、入力受付手段にて受け付けられた操作入力に基づきアイコンが選択された状態における時間の経過に従って、その選択されたアイコンに対応する属性の階層から順次上位の階層を選択し、当該選択した階層において、最初に選択されたアイコンに対応するデータと同じ属性を有するデータを処理対象のデータとして選択するので、アイコンの選択時間が長くなるほど処理対象のデータの選択範囲を拡大することができ、ユーザにとって一層直感的且つ容易な操作入力に基づいて、最初に選択されたアイコンに対応するデータと上位階層の属性が共通するデータを選択することができる。
【００１５】
また、請求項３に記載の表示装置によれば、表示制御手段は、入力受付手段により、表示手段における特定領域を選択されたアイコンの移動先とするための操作入力が受け付けられた場合、選択手段により選択されたデータに対応するアイコンを表示手段に表示させない設定とするので、ユーザにとって直感的且つ容易な操作入力に基づいて、ユーザ所望の階層において最初に選択されたアイコンに対応するデータと同じ属性を有するデータを非表示設定とすることができる。
【００１６】
また、請求項４に記載の表示装置によれば、選択手段により選択されたデータに対応するアイコンを、最初に選択されたアイコンの表示位置まで移動させ、当該選択手段により選択されたデータに対応する全てのアイコンが最初に選択されたアイコンの表示位置まで移動した場合、当該選択手段によるデータの選択を確定するので、現時点で選択されているデータに対応するアイコンをユーザが直感的に把握可能な態様で表示することができる。
【００１７】
また、請求項５に記載の表示装置によれば、選択手段は、入力受付手段にて受け付けられた操作入力に基づきアイコンが選択された状態における時間の経過に従って、その選択されたアイコンに対応するジャンルの階層から順次上位の階層を選択し、当該選択した階層において、最初に選択されたアイコンに対応する施設データと同じジャンルに属する施設データを処理対象の施設データとして選択し、表示制御手段は、入力受付手段により、表示手段における特定領域を最初に選択されたアイコンの移動先とするための操作入力が受け付けられた場合、選択手段により選択された施設データに対応するアイコンを表示手段に表示させない設定とするので、ユーザにとって一層直感的且つ容易な操作入力に基づいて、最初に選択されたアイコンに対応する施設データと上位階層のジャンルが共通する施設データを選択し、当該選択した施設データを非表示設定とすることができる。
【図面の簡単な説明】
【００１８】
【図１】実施の形態１に係る表示装置を例示するブロック図である。
【図２】地図情報ＤＢに記憶されている施設データを例示した表である。
【図３】表示制御処理のフローチャートである。
【図４】表示制御処理が実行される際のディスプレイの表示画面を例示した図である。
【図５】表示制御処理が実行される際のディスプレイの表示画面を例示した図である。
【図６】表示制御処理が実行される際のディスプレイの表示画面を例示した図である。
【図７】表示制御処理が実行される際のディスプレイの表示画面を例示した図である。
【図８】実施の形態２に係る表示制御処理のフローチャートである。
【図９】実施の形態２に係る表示制御処理が実行される際のディスプレイの表示画面を例示した図である。
【発明を実施するための形態】
【００１９】
以下、本発明に係る表示装置、表示方法、及び表示プログラムの各実施の形態について図面を参照しつつ詳細に説明する。ただし、これらの各実施の形態によって本発明が限定されるものではない。なお、以下の説明では、カーナビゲーションシステムの一部として表示装置が車両に搭載されているものとする。
【００２０】
〔実施の形態１〕
まず、実施の形態１に係る表示装置、表示方法、及び表示プログラムについて説明する。この実施の形態１は、アイコンが選択された状態における時間の経過に従って、選択されたアイコンに対応するジャンルの階層から順次上位の階層のジャンルに属するデータを選択する形態である。
【００２１】
（構成）
最初に、実施の形態１に係る表示装置の構成について説明する。図１は、本実施の形態１に係る表示装置を例示するブロック図である。図１に示すように、表示装置１は、タッチパネル１０、ディスプレイ２０、制御部３０、及びデータ記録部４０を備えている。
【００２２】
（構成−タッチパネル）
タッチパネル１０は、ユーザの指等で押圧されることにより、ディスプレイ２０に表示されているアイコンを選択するための操作入力や当該操作入力に基づき選択されたアイコンの表示位置を指示するための操作入力等を含む各種操作を受け付ける入力受付手段である。このタッチパネル１０は、透明又は半透明状に形成され、ディスプレイ２０の前面において当該ディスプレイ２０の表示面と重畳するように設けられている。このタッチパネル１０としては、例えば抵抗膜方式や静電容量方式等による操作位置検出手段を備えた公知のタッチパネルを使用することができる。
【００２３】
（構成−ディスプレイ）
ディスプレイ２０は、制御部３０の制御に基づいて各種情報の表示を行う表示手段である。なお、このディスプレイ２０の具体的な構成は任意であり、公知の液晶ディスプレイや有機ＥＬディスプレイの如きフラットパネルディスプレイを使用することができる。
【００２４】
（構成−制御部）
制御部３０は、表示装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態１に係る表示プログラムは、任意の記録媒体又はネットワークを介して表示装置１にインストールされることで、制御部３０の各部を実質的に構成する。
【００２５】
この制御部３０は、機能概念的に、表示制御部３１、及び選択部３２を備えている。表示制御部３１は、データ記録部４０に記憶されたデータを、当該データに対応するアイコンでディスプレイ２０に表示する表示制御手段である。選択部３２は、所定のデータを処理対象のデータとして選択する選択手段である。これらの制御部３０の各部によって実行される処理の詳細については後述する。
【００２６】
（構成−データ記録部）
データ記録部４０は、表示装置１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２７】
このデータ記録部４０は、地図情報データベース４１（以下、データベースをＤＢと略記する）を備えている。
【００２８】
地図情報ＤＢ４１は、地図情報を格納する地図情報格納手段であり、複数の階層で構成された属性を有するデータを記憶する記憶手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、対象地物データ（交差点、一時停止線、踏切、カーブ、ＥＴＣ料金所、高速出口等）、施設データ（各施設の位置、各施設の種別等）、地形データ、地図をディスプレイ２０に表示するための地図表示データ、アイコンの画像データ等を含んで構成されている。
【００２９】
図２は、地図情報ＤＢ４１に記憶されている施設データを例示した表である。施設データは複数の階層で構成されたジャンルに属しており、図２に示すように、項目「ジャンル０」、「ジャンル１」、「ジャンル２」、「ジャンル３」、「施設データＩＤ」、及び「住所」に対応して相互に関連付けられた情報を含むデータとして構成されている。項目「ジャンル０」に対応する情報は、最上位階層「ジャンル０」において各施設データが属するジャンルを特定する情報である（図２では「全施設」）。項目「ジャンル１」に対応する情報は、「ジャンル０」から１階層下位の階層「ジャンル１」において各施設データが属するジャンルを特定する情報である（図２では「駐車場」等）。項目「ジャンル２」に対応する情報は、「ジャンル１」から１階層下位の階層「ジャンル２」において各施設データが属するジャンルを特定する情報である（図２では「時間貸」等）。項目「ジャンル３」に対応する情報は、「ジャンル２」から１階層下位の階層「ジャンル３」において各施設データが属するジャンルを特定する情報である（図２では「Ｔ駐車場」等）。なお、図２では階層の数が４階層である場合を例として説明しているが、階層の数は任意に設定することができる。項目「施設データＩＤ」に対応する情報は、施設データを一意に識別する識別情報である（図２では「０１０００１」等）。項目「住所」に対応する情報は、各施設データに対応する施設の住所を特定する情報である。
【００３０】
（処理−表示制御処理）
次に、このように構成された表示装置１によって実行される表示制御処理について説明する。図３は表示制御処理のフローチャートである（以下の各処理の説明ではステップを「Ｓ」と略記する）。また、図４から図７は、表示制御処理が実行される際のディスプレイ２０の表示画面を例示した図である。この表示制御処理は、例えば、表示装置１に電源が投入された後に、所定周期で繰り返し実行される。なお、以下の説明では、表示制御部３１によって、地図画面がディスプレイ２０に表示されると共に、地図情報ＤＢ４１に記憶された施設データが、当該施設データに対応するアイコン（以下、必要に応じて「施設アイコン」と略記する）でディスプレイ２０に表示されている場合を例として説明する。
【００３１】
表示制御処理が開始されると、選択部３２は、ディスプレイ２０に表示されている施設アイコンが、当該ディスプレイ２０に表示されているゴミ箱のアイコン（図４から図７では画面右下に配置されているゴミ箱のアイコン。以下、必要に応じて「ゴミ箱アイコン」と略記する）上にドラッグされたか否かを判定する（ＳＡ１）。ここで「ゴミ箱のアイコン」とは、タッチパネル１０を介した操作入力により、施設アイコンが当該ゴミ箱アイコンの上にドラッグアンドドロップされた場合に、当該施設アイコンを含む所定のアイコンをディスプレイ２０に表示させない設定とするための特定領域である。なお、「ドラッグ」及び「ドロップ」は、タッチパネル１０を介して受け付けられる操作入力を表す用語である。このうち「ドラッグ」はディスプレイ２０に表示されているアイコンを選択し、当該選択したアイコンの表示位置を移動するための操作入力であり、「ドロップ」とは「ドラッグ」により移動されたアイコンの表示位置を当該アイコンの移動先として確定するための操作入力である。図４では、階層「ジャンル３」のジャンル「Ｔ駐車場」に属する施設データであることを示す「Ｔ」マークの施設アイコンがゴミ箱アイコン上にドラッグされた場合を例示している。
【００３２】
図３に戻り、ディスプレイ２０に表示されている施設アイコンが、当該ディスプレイ２０に表示されているゴミ箱アイコン上にドラッグされていない間（ＳＡ１、Ｎｏ）、選択部３２はＳＡ１の判定を繰り返す。
【００３３】
一方、ディスプレイ２０に表示されている施設アイコンが、当該ディスプレイ２０に表示されているゴミ箱アイコン上にドラッグされた場合（ＳＡ１、Ｙｅｓ）、選択部３２はタイマ（図示省略）による計時をスタートさせる（ＳＡ２）。
【００３４】
続いて選択部３２は、ゴミ箱アイコン上にドラッグされた施設アイコンに対応するジャンルの階層と同じ階層を選択する（ＳＡ３）。例えば図４に示したように、ジャンル「Ｔ駐車場」に属する施設データであることを示す「Ｔ」マークの施設アイコンがゴミ箱アイコン上にドラッグされた場合、選択部３２は当該ジャンル「Ｔ駐車場」の階層「ジャンル３」を選択する。
【００３５】
図３に戻り、選択部３２は、ＳＡ３で選択した階層において、ゴミ箱アイコン上にドラッグされた施設アイコンに対応する施設データと同じジャンルに属する施設データを、処理対象の施設データとして選択し、表示制御部３１は当該選択された施設データに対応するアイコンを強調表示させる（ＳＡ４）。例えば図４に示したように、ジャンル「Ｔ駐車場」に属する施設データであることを示す「Ｔ」マークの施設アイコンがゴミ箱アイコン上にドラッグされ、選択部３２が当該ジャンル「Ｔ駐車場」の階層「ジャンル３」を選択した場合、選択部３２は階層「ジャンル３」においてゴミ箱アイコン上にドラッグされた施設アイコンに対応する施設データと同じジャンル「Ｔ駐車場」に属する施設データを処理対象の施設データとして選択する。この場合、図５に示すように、表示制御部３１は、選択部３２により選択されたジャンル「Ｔ駐車場」に属する施設データに対応する「Ｔ」マークの施設アイコンを全て強調表示（図５では太線で囲う表示）をさせる。
【００３６】
図３に戻り、選択部３２は、タイマの出力に基づき、当該タイマによる計時開始から所定時間（例えば２秒）が経過したか否かを判定する（ＳＡ５）。その結果、タイマによる計時開始から所定時間が経過していない場合（ＳＡ５、Ｎｏ）、表示制御部３１は、タッチパネル１０にて受け付けられた操作入力に基づき選択された施設アイコンの移動先をディスプレイ２０における特定領域（本実施の形態１ではゴミ箱アイコン）とするための操作入力が当該タッチパネル１０によって受け付けられたか否かを判定する。すなわち表示制御部３１は、ゴミ箱アイコン上にドラッグされた施設アイコンが当該ゴミ箱アイコン上でドロップされたか否かを判定する（ＳＡ６）。
【００３７】
その結果、ゴミ箱アイコン上にドラッグされた施設アイコンが当該ゴミ箱アイコン上でドロップされていない場合（ＳＡ６、Ｎｏ）、ＳＡ５に戻り、選択部３２は、タイマの出力に基づき、当該タイマによる計時開始から所定時間が経過したか否かを判定する（ＳＡ５）。
【００３８】
なお、ゴミ箱アイコン上にドラッグされた施設アイコンが当該ゴミ箱アイコン上でドロップされる前に、ゴミ箱アイコンとは異なる位置にドラッグされ当該位置にてドロップされた場合には、選択部３２は、例えば施設アイコンのドラッグが解除されたものとし、タイマによる計時をリセット（すなわちタイマによる計時時間を０に設定）し、表示制御処理を終了する。
【００３９】
一方、ＳＡ５において、タイマによる計時開始から所定時間が経過した場合（ＳＡ５、Ｙｅｓ）、選択部３２は、当該選択部３２が選択している階層よりも１階層上位の階層を選択する（ＳＡ７）。例えば選択部３２が階層「ジャンル３」を選択している場合、当該階層「ジャンル３」よりも１階層上位の階層「ジャンル２」を選択する。また、選択部３２が階層「ジャンル２」を選択している場合、当該階層「ジャンル２」よりも１階層上位の階層「ジャンル１」を選択する。さらに、選択部３２が階層「ジャンル１」を選択している場合、当該階層「ジャンル１」よりも１階層上位の階層「ジャンル０」を選択する。なお、選択部３２が最上位階層「ジャンル０」を選択している場合には、当該階層「ジャンル０」よりも１階層上位の階層はないことから、引き続き当該階層「ジャンル０」を選択するものとする。
【００４０】
続いて選択部３２は、タイマによる計時をリスタート（すなわち再度０から計時を開始）した後（ＳＡ８）、ＳＡ４に戻り、当該選択部３２が選択した階層において、ゴミ箱アイコン上にドラッグされた施設アイコンに対応する施設データと同じジャンルに属する施設データを、処理対象の施設データとして選択し、表示制御部３１は当該選択された施設データに対応するアイコンを強調表示させる（ＳＡ４）。
【００４１】
例えばＳＡ７で階層「ジャンル３」よりも１階層上位の階層「ジャンル２」を選択部３２が選択した場合、図２によれば、ゴミ箱アイコン上にドラッグされた「Ｔ」マークの施設アイコンに対応する施設データ（すなわち階層「ジャンル３」のジャンル「Ｔ駐車場」に属する施設データ）が階層「ジャンル２」において属するジャンルは「時間貸」であるので、選択部３２は当該ジャンル「時間貸」に属する施設データとして、既に選択されている階層「ジャンル３」のジャンル「Ｔ駐車場」に加えて、階層「ジャンル３」のジャンル「パーク２４」に属する施設データを処理対象の施設データとして選択する。この場合、図６に示すように、表示制御部３１は既に強調表示させている「Ｔ」マークの施設アイコンに加えて、ジャンル「パーク２４」に属する施設データに対応する「２４」マークの施設アイコンを強調表示させる。
【００４２】
さらに、図６に例示した状態から図３のＳＡ５及びＳＡ６の処理を繰り返し、ＳＡ８でタイマによる計時をリスタートしてから所定時間が経過し（ＳＡ５、Ｙｅｓ）、ＳＡ７で階層「ジャンル２」よりも１階層上位の階層「ジャンル１」を選択部３２が選択した場合、図２によれば、ゴミ箱アイコン上にドラッグされた「Ｔ」マークの施設アイコンに対応する施設データ（すなわち階層「ジャンル３」のジャンル「Ｔ駐車場」に属する施設データ）が階層「ジャンル１」において属するジャンルは「駐車場」であるので、選択部３２は当該ジャンル「駐車場」に属する施設データとして、既に選択されている階層「ジャンル２」のジャンル「時間貸」に加えて、階層「ジャンル２」のジャンル「その他」に属する施設データを処理対象の施設データとして選択する。この場合、図７に示すように、表示制御部３１は既に強調表示させている「Ｔ」マーク及び「２４」マークの施設アイコンに加えて、ジャンル「その他」に属する施設データに対応する「Ｐ」マークの施設アイコンを強調表示させる。
【００４３】
さらに、図７に例示した状態から図３のＳＡ５及びＳＡ６の処理を繰り返し、ＳＡ８でタイマによる計時をリスタートしてから所定時間が経過し（ＳＡ５、Ｙｅｓ）、ＳＡ７で階層「ジャンル１」よりも１階層上位の最上位階層「ジャンル０」を選択部３２が選択した場合、図２によれば、ゴミ箱アイコン上にドラッグされた「Ｔ」マークの施設アイコンに対応する施設データ（すなわち階層「ジャンル３」のジャンル「Ｔ駐車場」に属する施設データ）が階層「ジャンル０」において属するジャンルは「全施設」であるので、選択部３２は当該ジャンル「全施設」に属する施設データとして、全ての施設データを処理対象の施設データとして選択する。この場合、表示制御部３１は全ての施設データに対応する施設アイコンを強調表示させる。
【００４４】
図３に戻り、ＳＡ６において、ゴミ箱アイコン上にドラッグされた施設アイコンが当該ゴミ箱アイコン上でドロップされた場合（ＳＡ６、Ｙｅｓ）、すなわちタッチパネル１０にて受け付けられた操作入力に基づき選択された施設アイコンの移動先をゴミ箱アイコンとするための操作入力が当該タッチパネル１０によって受け付けられた場合、表示制御部３１は、ＳＡ４で選択部３２により処理対象の施設データとして選択された施設データに対応する施設アイコンをディスプレイ２０に表示させない設定とする（ＳＡ９）。例えば図５に示すように、選択部３２によりジャンル「Ｔ駐車場」に属する施設データが選択され、表示制御部３１が当該ジャンル「Ｔ駐車場」に属する施設データに対応する「Ｔ」マークの施設アイコンを強調表示させていた場合、表示制御部３１は、当該ジャンル「Ｔ駐車場」に属する施設データに対応する「Ｔ」マークの施設アイコンを非表示設定とする。
【００４５】
図３に戻り、ＳＡ９の処理の後、選択部３２はタイマによる計時をリセット（すなわちタイマによる計時時間を０に設定）する（ＳＡ１０）。その後、制御部３０は表示制御処理を終了する。
【００４６】
（効果）
このように本実施の形態１によれば、選択部３２は、タッチパネル１０にて受け付けられた操作入力に基づきアイコンが選択された状態における経過時間に応じて、異なる階層を選択し、当該選択した階層において、選択されたアイコンに対応するデータと同じ属性を有するデータを処理対象のデータとして選択するので、選択されるアイコンの階層を時間により変化させるというユーザにとって直感的且つ容易な操作入力に基づいて、ユーザ所望の階層において最初に選択されたアイコンに対応するデータと同じ属性を有するデータを選択することができる。
【００４７】
特に、選択部３２は、タッチパネル１０にて受け付けられた操作入力に基づきアイコンが選択された状態における時間の経過に従って、その選択されたアイコンに対応する属性の階層から順次上位の階層を選択し、当該選択した階層において、最初に選択されたアイコンに対応するデータと同じ属性を有するデータを処理対象のデータとして選択するので、アイコンの選択時間が長くなるほど処理対象のデータの選択範囲を拡大することができ、ユーザにとって一層直感的且つ容易な操作入力に基づいて、最初に選択されたアイコンに対応するデータと上位階層の属性が共通するデータを選択することができる。
【００４８】
また、表示制御部３１は、タッチパネル１０により、ディスプレイ２０における特定領域を選択されたアイコンの移動先とするための操作入力が受け付けられた場合、選択部３２により選択されたデータに対応するアイコンをディスプレイ２０に表示させない設定とするので、選択されるアイコンの階層を時間により変化させるというユーザにとって直感的且つ容易な操作入力に基づいて、ユーザ所望の階層において最初に選択されたアイコンに対応するデータと同じ属性を有するデータを非表示設定とすることができる。
【００４９】
特に、選択部３２は、タッチパネル１０にて受け付けられた操作入力に基づきアイコンが選択された状態における時間の経過に従って、その選択されたアイコンに対応するジャンルの階層から順次上位の階層を選択し、当該選択した階層において、最初に選択されたアイコンに対応する施設データと同じジャンルに属する施設データを処理対象の施設データとして選択し、表示制御部３１は、タッチパネル１０により、ディスプレイ２０における特定領域を最初に選択されたアイコンの移動先とするための操作入力が受け付けられた場合、選択部３２により選択された施設データに対応するアイコンをディスプレイ２０に表示させない設定とするので、選択されるアイコンの階層を時間により変化させるというユーザにとって一層直感的且つ容易な操作入力に基づいて、最初に選択されたアイコンに対応する施設データと上位階層のジャンルが共通する施設データを選択し、当該選択した施設データを非表示設定とすることができる。
【００５０】
〔実施の形態２〕
次に、実施の形態２について説明する。この実施の形態２は、選択手段により選択されたデータに対応するアイコンを、最初に選択されたアイコンの表示位置まで移動させる形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５１】
（処理−表示制御処理）
実施の形態２の表示装置１によって実行される表示制御処理について説明する。図８は、実施の形態２に係る表示制御処理のフローチャートである。なお、本実施の形態２に係る表示制御処理の内、ＳＢ１は図３のＳＡ１と、ＳＢ２はＳＡ３と、ＳＢ５はＳＡ６と、ＳＢ７はＳＡ７と、それぞれ同様であるので、説明を省略する。
【００５２】
図８のＳＢ２の処理の後、選択部３２は、ＳＢ２で選択した階層において、ゴミ箱アイコン上にドラッグされた施設アイコンに対応する施設データと同じジャンルに属する施設データを、処理対象の施設データとして選択し、表示制御部３１は当該選択された施設データに対応するアイコンを強調表示させると共に、当該アイコンをゴミ箱アイコン上にドラッグされた施設アイコン（すなわち、タッチパネル１０にて受け付けられた操作入力に基づき最初に選択されたアイコン）の表示位置まで移動させ始める（ＳＢ３）。
【００５３】
図９は、実施の形態２に係る表示制御処理が実行される際のディスプレイ２０の表示画面を例示した図である。例えば、ジャンル「Ｔ駐車場」に属する施設データであることを示す「Ｔ」マークの施設アイコンがゴミ箱アイコン上にドラッグされ、選択部３２が当該ジャンル「Ｔ駐車場」の階層「ジャンル３」を選択した場合、選択部３２は階層「ジャンル３」においてゴミ箱アイコン上にドラッグされた施設アイコンに対応する施設データと同じジャンル「Ｔ駐車場」に属する施設データを処理対象の施設データとして選択する。この場合、図９に示すように、表示制御部３１は、選択部３２により選択されたジャンル「Ｔ駐車場」に属する施設データに対応する「Ｔ」マークの施設アイコンを全て強調表示させると共に、当該「Ｔ」マークの施設アイコンをゴミ箱アイコン上にドラッグされた施設アイコンの位置に向けて移動させ始める。
【００５４】
図８に戻り、選択部３２は、ＳＢ３で選択部３２により選択された施設データに対応する全てのアイコンが、ゴミ箱アイコン上にドラッグされた施設アイコンまで移動したか否かを判定する（ＳＢ４）。図９の例では、選択部３２は、「Ｔ」マークの施設アイコンの全てがゴミ箱アイコン上にドラッグされた施設アイコンの位置まで移動したか否かを判定する。
【００５５】
図８に戻り、ＳＢ４の判定の結果、ＳＢ３で選択部３２により選択された施設データに対応する全てのアイコンが、ゴミ箱アイコン上にドラッグされた施設アイコンまで移動していない場合（ＳＢ４、Ｎｏ）、表示制御部３１は、ゴミ箱アイコン上にドラッグされた施設アイコンが当該ゴミ箱アイコン上でドロップされたか否かを判定する（ＳＢ５）。
【００５６】
一方、ＳＢ４の判定の結果、ＳＢ３で選択部３２により選択された施設データに対応する全てのアイコンが、ゴミ箱アイコン上にドラッグされた施設アイコンまで移動した場合（ＳＢ４、Ｙｅｓ）、選択部３２は、ＳＢ３における選択部３２による施設データの選択を確定する（ＳＢ６）。例えば、選択部３２は、ＳＢ３において選択した施設データに対応する施設データＩＤを、確定済みの施設データを特定するための情報としてＲＡＭに記憶する。
【００５７】
ＳＢ５において、ゴミ箱アイコン上にドラッグされた施設アイコンが当該ゴミ箱アイコン上でドロップされた場合（ＳＢ５、Ｙｅｓ）、表示制御部３１は、ＳＢ６で選択が確定された施設データに対応する施設アイコンをディスプレイ２０に表示させない設定とする（ＳＢ８）。
【００５８】
例えば、ＳＢ６において選択部３２によりジャンル「Ｔ駐車場」に属する施設データの選択が確定されている場合、その後ＳＢ３において選択部３２により他の施設データが選択され、当該選択された他の施設データの移動が開始されている場合であっても、表示制御部３１はジャンル「Ｔ駐車場」に属する施設データに対応する施設アイコンのみをディスプレイ２０に表示させない設定とする。
【００５９】
また、一度もＳＢ６及びＳＢ７の処理を行うことなくＳＢ８の処理を行った場合（すなわち、ＳＢ３における選択部３２による施設データの選択が確定されないまま、ゴミ箱アイコン上にドラッグされた施設アイコンが当該ゴミ箱アイコン上でドロップされた場合）には、選択が確定された施設データが存在しないことから、表示制御部３１が何れかの施設データに対応する施設アイコンを非表示設定とすることはない。
【００６０】
ＳＢ８の処理の後、表示制御部３１は、選択が確定していない施設データに対応する施設アイコンであって、元の位置から移動している施設アイコンの位置を、元の位置に配置しなおす（ＳＢ９）。その後、制御部３０は表示制御処理を終了する。
【００６１】
（効果）
このように実施の形態２によれば、選択部３２により選択されたデータに対応するアイコンを、最初に選択されたアイコンの表示位置まで移動させ、当該選択部３２により選択されたデータに対応する全てのアイコンが最初に選択されたアイコンの表示位置まで移動した場合、当該選択部３２によるデータの選択を確定するので、現時点で選択されているデータに対応するアイコンをユーザが直感的に把握可能な態様で表示することができる。
【００６２】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００６４】
（表示制御処理について）
上述の各実施の形態では、表示制御部３１によって、地図画面がディスプレイ２０に表示されると共に、地図情報ＤＢ４１に記憶された施設データが、当該施設データに対応するアイコンでディスプレイ２０に表示されている場合を例として表示制御処理の内容を説明したが、地図画面と異なる画面や施設データ以外のデータがディスプレイ２０に表示されている場合においても、同様に表示制御処理を実行することができる。例えば、表示制御部３１によって、オーディオ操作画面がディスプレイ２０に表示されると共に、ＣＤやハードディスク等に記憶された音楽データが、当該音楽データに対応する音楽アイコンでディスプレイ２０に表示されている場合に表示制御処理を実行するようにしてもよい。この場合、音楽データは例えば「アーティスト名」、「アルバム」、「曲名」等の複数の階層で構成された属性を有しているものとする。また、上述の各実施の形態で例示した「ゴミ箱のアイコン」の他、例えば音楽データを再生するための特定領域として「再生アイコン」をディスプレイ２０に表示させ、タッチパネル１０を介した操作入力により、音楽アイコンが当該再生アイコンの上にドラッグアンドドロップされた場合に、当該音楽アイコンを含む所定のアイコンに対応する音楽データを再生するようにしてもよい。
【００６５】
また、上述の各実施の形態では、タッチパネル１０を介した操作入力により施設アイコンがゴミ箱アイコンの上にドラッグアンドドロップされた場合に、当該施設アイコンを含む所定のアイコンを非表示設定とする場合を例として説明したが、非表示設定とは異なる機能の実行対象データを選択するための処理として、上述の表示制御処理を適用してもよい。例えば、「登録アイコン」をディスプレイ２０に表示させ、タッチパネル１０を介した操作入力により施設アイコンが当該登録アイコンの上にドラッグアンドドロップされた場合に、当該施設アイコンを含む所定のアイコンを登録地点として登録するようにしてもよい。
【００６６】
また、上述の実施の形態２では、表示制御部３１が、選択部３２に選択された施設データに対応するアイコンをゴミ箱アイコン上にドラッグされた施設アイコンの表示位置まで移動させると説明したが、この場合において、表示制御部３１が、移動開始時点でディスプレイ２０に表示されていた施設アイコンのみを移動させてもよく、あるいは、移動開始時点ではディスプレイ２０に表示されている地図の範囲に含まれていない施設に対応する施設アイコンを、当該地図の中心から施設までの距離が小さい順に、当該地図の範囲外から範囲内に移動してきたような態様でディスプレイ２０に表示させるようにしてもよい。
【００６７】
また、上述の実施の形態２では、図８のＳＢ３で選択部３２により選択された施設データに対応する全てのアイコンが、ゴミ箱アイコン上にドラッグされた施設アイコンまで移動した場合に、選択部３２は、ＳＢ３における選択部３２による施設データの選択を確定すると説明したが、他の基準に基づいて選択部３２による施設データの選択を確定してもよい。例えば、ＳＢ３で選択部３２により選択された施設データに対応する施設アイコンであってディスプレイ２０に表示されている施設アイコンの内、半数以上の施設アイコンがゴミ箱アイコン上にドラッグされた施設アイコンまで移動した場合に、選択部３２がＳＢ３における選択部３２による施設データの選択を確定するようにしてもよい。
【符号の説明】
【００６８】
１  表示装置
１０  タッチパネル
２０  ディスプレイ
３０  制御部
３１  表示制御部
３２  選択部
４０  データ記録部
４１  地図情報ＤＢ
【図１】
2012079017.tif 000003
【図２】
2012079017.tif 000004
【図３】
2012079017.tif 000005
【図４】
2012079017.tif 000006
【図５】
2012079017.tif 000007
【図６】
2012079017.tif 000008
【図７】
2012079017.tif 000009
【図８】
2012079017.tif 000010
【図９】
2012079017.tif 000011